(57)【要約】【課題】衣類の洗濯において移染を防止し得る洗浄剤組成物を提供する。【解決手段】（ａ）ベントナイト、（ｂ）過炭酸ナトリウム３０〜８０質量％、及び（ｃ）界面活性剤を含有し、（ａ）／（ｃ）の質量比が特定範囲にある洗浄剤組成物。【選択図】なし【特許請求の範囲】
【請求項１】
（ａ）ベントナイト、（ｂ）過炭酸ナトリウム３０〜８０質量％、及び（ｃ）界面活性剤を含有し、（ａ）／（ｃ）の質量比が２００〜１である、洗浄剤組成物。
【請求項２】
更に（ｄ）漂白活性化剤を含有する、請求項１に記載の洗浄剤組成物。
【請求項３】
（ｃ）界面活性剤が、非イオン界面活性剤及び／又は陰イオン界面活性剤である請求項１又は２記載の洗浄剤組成物。
【発明の詳細な説明】
【技術分野】
【０００１】
本発明は洗浄剤組成物に関する。
【背景技術】
【０００２】
衣類から放出された染料に起因する衣料間の色移り（以下、移染と呼ぶ）は、衣類の洗濯における大きな問題のひとつであり、これを解決するための様々な試みがなされてきた。
【０００３】
特許文献１には、移染防止剤として、アミン系化合物等を含有する洗剤が記載されている。
【０００４】
特許文献２には、染料吸収剤として、不溶性の高分子アミンを含む洗濯添加剤物品が記載されている。
【０００５】
特許文献３には、鉱物性物質を酸素系漂白剤組成物の退色抑制剤として用いることが記載されている。
【特許文献１】特開平８−１５１５９６号公報
【特許文献２】特開２００４−５１１６４８号公報
【特許文献３】特開平６−５７２９７号公報
【発明の開示】
【発明が解決しようとする課題】
【０００６】
本発明の課題は、衣類の洗濯において移染を防止し得る洗浄剤組成物を提供することにある。特に、近年、少量の水で衣類を洗浄することができる洗濯機（例えば、ドラム式洗濯機）の普及に伴い、衣類の移染発生の問題が顕在化しつつあるため、本発明の課題は、少量の水で洗濯する場合においても、移染を防止し得る洗浄剤組成物を提供することにある。なお、特許文献３は、界面活性剤を含有する洗浄剤組成物について、移染発生を防止するという課題やそのための具体的な組成について何ら言及していない。
【課題を解決するための手段】
【０００７】
本発明者らは、上記課題を解決するために鋭意研究の結果、界面活性剤と過炭酸ナトリウムとを含有する浄剤組成物中に、ベントナイトを界面活性剤に対して所定の比率で配合することによって、移染を防止できることを見出した。
【０００８】
本発明は、（ａ）ベントナイト、（ｂ）過炭酸ナトリウム３０〜８０質量％、及び（ｃ）界面活性剤を含有し、（ａ）／（ｃ）の質量比が２００〜１である、洗浄剤組成物に関する。
【発明の効果】
【０００９】
本発明によれば、移染防止効果に優れた洗浄剤組成物が得られる。
【発明を実施するための最良の形態】
【００１０】
以下、本発明の洗浄剤組成物に用いられる成分について説明する。
＜（ａ）成分＞
本発明の洗浄剤組成物は、（ａ）成分として、ベントナイトを含有する。本発明のベントナイトは、50〜100meq/100gのイオン交換能力を有するものが好ましく、具体的には、アルカリ金属またはアルカリ土類金属モンモリロナイト、サポナイトまたはヘクトライトからなる群から選択されるモンモリロン石群鉱物粘土(smectitic clay)、イライト、アタパルジャイト(attapulgite)、及びカオリナイトから選ばれる１種以上が好ましい。
【００１１】
本発明の洗浄剤組成物中の（ａ）成分の含有量は、１〜６０質量％が好ましく、移染防止の観点から、１０〜５０質量％がより好ましく、１５〜４０質量％が更に好ましい。
【００１２】
＜（ｂ）成分＞
本発明の洗浄剤組成物は、（ｂ）成分として、過炭酸ナトリウムを含有する。本発明の洗浄剤組成物は、過炭酸ナトリウムの添加により、優れた洗浄効果及び移染防止効果を発揮し得る。
【００１３】
本発明の洗浄剤組成物中の（ｂ）成分の含有量は、３０〜８０質量％であり、優れた洗浄効果及び移染防止効果を得るため、３５〜８０質量％が好ましく、４０〜８０質量％がより好ましい。
【００１４】
＜（ｃ）成分＞
本発明の洗浄剤組成物は、（ｃ）成分として、界面活性剤を含有する。界面活性剤としては、非イオン界面活性剤、陰イオン界面活性剤、陽イオン界面活性剤、及び両性界面活性剤を使用し得る。洗浄性及び移染防止の観点から、非イオン界面活性剤及び／又は陰イオン界面活性剤が好ましく、非イオン界面活性剤及び陰イオン界面活性剤の併用が特に好ましい。その場合、非イオン界面活性剤／陰イオン界面活性剤＝１／１０〜２／３、更に１／６〜１／２の質量比とすることが好ましい。
【００１５】
本発明の非イオン界面活性剤としては、アルコールにアルキレンオキサイドを付加した非イオン界面活性剤、特に、下記一般式（１）の非イオン界面活性剤が挙げられる。
Ｒ1a−Ｏ［（ＥＯ）a／（ＰＯ）b］−Ｈ        （１）
〔式中、Ｒ1aは炭素数１０〜１８、好ましくは１２〜１４のアルキル基又はアルケニル基を示す。ＥＯはエチレンオキシ基、ＰＯはプロピレンオキシ基を示す。ａは平均付加モル数であり０〜２０の数、ｂは平均付加モル数であり０〜２０の数を示し、ａ及びｂの両者が同時に０の場合を除く。〕
【００１６】
一般式（１）中、ａは６〜１５、更に７〜１２が好ましく、ｂは０〜１０、更に１〜５、特に１〜３が好ましい。
【００１７】
なお、一般式（１）においては、ＥＯ基単独又はＰＯ基単独で配合されてもよく、ＥＯ基とＰＯ基とがランダム共重合体又はブロック共重合体のいずれの形態で配列されていてもよい。
【００１８】
本発明における非イオン界面活性剤は特に限定されないが、具体例としては、日本触媒（株）製ソフタノール１２０〔炭素数１２／１４／１６混合アルコールのＥＯ１２モル付加物〕、花王（株）製エマルゲン５０７〔炭素数１２／１３混合アルコールのＥＯ７モル付加物（融点１７．５℃）〕、花王（株）製エマルゲン１０９Ｐ〔炭素数１２アルコールのＥＯ９．２モル付加物（融点２１℃）〕、花王（株）製、エマルゲンＫＳ−１０８〔炭素数１２アルコールのＥＯ５モルＰＯ２モルＥＯ３モル付加物（融点−９℃）〕、花王（株）製エマルゲンＫＳ−１１０〔炭素数１２／１４混合アルコールのＥＯ７モルＰＯ２モルＥＯ３モル付加物（融点２０℃）〕、花王（株）製エマルゲンＬＳ−１０６〔炭素数１２アルコールのＥＯ２．５モルＰＯ１．５モルＥＯ３モル付加物（融点−９℃）〕等がある。その中でも溶解性の観点より、ＥＯ／ＰＯ付加型の非イオン界面活性剤が好ましい。ここでＥＯはエチレンオキサイド、ＰＯはプロピレンオキサイドであり、付加モル数は平均付加モル数である。
【００１９】
本発明に用いられる陰イオン界面活性剤としては、より具体的にはオレフィンスルホン酸塩、アルカンスルホン酸塩、α−スルホ脂肪酸塩、α−スルホ脂肪酸エステル、アルキルベンゼンスルホン酸塩、アルキル硫酸エステル塩、ポリオキシエチレンアルキルエーテル硫酸エステル塩を挙げることができ、特にアルキル基の炭素数が８〜１５、好ましくは１０〜１５のアルキルベンゼンスルホン酸塩、アルキル基の炭素数が８〜１４、好ましくは１０〜１４のアルキル硫酸エステル塩、アルキル基の炭素数が８〜１４、好ましくは１０〜１４、平均付加モル数が１〜６のポリオキシエチレンアルキルエーテル硫酸エステル塩から選ばれる１種以上の陰イオン界面活性剤を用いることが好ましい。より好ましくは、炭素数１０〜１４のアルキル基を有するアルキル硫酸エステル塩である。
【００２０】
洗浄剤組成物中の（ｃ）成分の含有量は、０．１〜１０質量％が溶解性や造粒物物性の観点から好ましく、０．１〜８質量％が更に好ましく、０．１〜６質量％が更に好ましい。
【００２１】
さらに、本発明の洗浄剤組成物では、移染防止及び洗浄性の観点から、（ａ）／（ｃ）の質量比が２００〜１であり、１８０〜２．５が好ましく、１８０〜５がより好ましい。
【００２２】
＜（ｄ）成分＞
本発明の洗浄剤組成物は、（ｄ）成分として、漂白活性化剤を含有し得る。本明細書中において、漂白活性化剤とは、無機過酸化物と反応することで有機過酸を生成する化合物を意味する。漂白活性化剤としては、例えば、下記一般式（２）で表されるエステル結合を有する化合物が挙げられる。
Ｒ−Ｃ（＝Ｏ）−ＬＧ        （２）
［式中、Ｒは、炭素数８〜１４の直鎖もしくは分岐鎖のアルキル基もしくはアルケニル基、アリール基、又はアルキル基置換アリール基であり、好ましくは炭素数１０〜１４の直鎖又は分岐鎖のアルキル基である。ＬＧは脱離基である。］
脱離基ＬＧとしては、例えば、
【００２３】
【化１】
2008163077.tif 000002
【００２４】
−Ｏ−Ｒa−（Ｏ）p−ＳＯ3-及び−Ｏ−Ｒa−（Ｏ）p−ＳＯ3Ｍ（ここでＲaはアルキレン基、ｐは０又は１、Ｍは水素原子又はアルカリ金属を表す。）が挙げられる。なお、Ｒaのアルキレン基は、炭素数１〜５が好ましい。
【００２５】
本発明における漂白活性化剤は、一般式（２）で表される化合物に限定されず、従来一般に用いられてきた漂白活性化剤を用いることができる。例えばテトラアセチルエチレンジアミン、グルコースペンタアセテート、テトラアセチルグリコールウリル、アルカノイルもしくはアルケノイル（これらの基の炭素数は８〜１４）オキシベンゼンカルボン酸又はその塩、アルカノイル又はアルケノイル（これらの基の炭素数は８〜１４）オキシベンゼンスルホン酸塩が挙げられ、アルカノイルもしくはアルケノイル（これらの基の炭素数は８〜１４、漂白効果の点から好ましくは１０〜１４）オキシベンゼンカルボン酸又はその塩及びアルカノイル又はアルケノイル（これらの基の炭素数は８〜１４、漂白効果の点から好ましくは１０〜１４）オキシベンゼンスルホン酸塩から選ばれる１種以上が好ましい。これら漂白活性化剤は、任意の１種又は２種以上の組み合わせを用いることができる。特に、デカノイルオキシベンゼンカルボン酸又はこのナトリウム塩、ドデカノイルオキシベンゼンスルホン酸ナトリウム塩が好ましい。
【００２６】
洗浄剤組成物中の（ｄ）成分の含有量は、０．１〜１０質量％が溶解性や造粒物物性の観点から好ましく、０．１〜８質量％が更に好ましく、０．１〜６質量％が更に好ましい。
【００２７】
＜（ｅ）成分＞
本発明の洗浄剤組成物は、（ｅ）成分として、ポリアルキレングリコールを含有し得る。
【００２８】
本発明のポリアルキレングリコールの具体例としては、ポリプロピレングリコール（平均分子量２０００）（融点４５〜５０℃）、ポリエチレングリコール（平均分子量４０００）（融点５０〜５８℃）、ポリエチレングリコール（平均分子量６０００）（融点５５〜６２℃）等が挙げられるが、これらに限定されない。
【００２９】
本発明の洗浄剤組成物中の（ｅ）成分の含有量は、溶解性の観点から、０．１〜１０質量％が好ましく、０．１〜５質量％がより好ましく、０．１〜３質量％が更に好ましい。
【００３０】
＜（ｆ）成分＞
本発明の洗浄剤組成物は、（ｆ）成分として、炭酸ナトリウムを含有し得る。本発明の洗浄剤組成物中の（ｆ）成分の含有量は、移染防止性の観点から、１〜５０質量％が好ましく、１〜４５質量％がより好ましく、１〜４０質量％が更に好ましい。
【００３１】
＜（ｇ）成分＞
本発明の洗浄剤組成物は、（ｇ）成分として、金属封鎖剤を含有し得る。金属封鎖剤としては、特開平１１−１８１４８２号公報に記載のものを使用することができる。本発明の洗浄剤組成物中の（ｇ）成分の含有量は、移染防止性の観点から、０．０００５〜５質量％が好ましく、０．０１〜３質量％がより好ましく、０．１〜２質量％が更に好ましい。
【００３２】
＜（ｈ）成分＞
本発明の洗浄剤組成物は、（ｈ）成分として、結晶性アルミノケイ酸塩を含有し得る。結晶性アルミノケイ酸塩としては、特開平８−１７００９５号公報に記載のものが挙げられる。本発明の洗浄剤組成物中の（ｈ）成分の含有量は、移染防止性の観点から、０．１〜５質量％が好ましく、０．１〜４質量％がより好ましく、０．１〜３質量％が更に好ましい。
【００３３】
＜（ｉ）成分＞
本発明の洗浄剤組成物は、（ｉ）成分として、酵素を含有し得る。酵素としては、特開平１１−２１７５９０号公報に記載のものを使用することができる。本発明の洗浄剤組成物中の（ｉ）成分の含有量は、洗浄性の観点から、０．１〜５質量％が好ましく、０．１〜３質量％がより好ましく、０．１〜２質量％が更に好ましい。
【００３４】
＜（ｊ）成分＞
本発明の洗浄剤組成物は、粒子汚れ洗浄力を更に向上させるために、（ｊ）成分として、分散剤を配合し得る。分散剤としては一般的に使用されているポリマー成分を配合しても良く、特に、重量平均分子量５千〜４万のポリアクリル酸又はその塩、ポリメタクリル酸又はその塩、重量平均分子量３万〜10万のアクリル酸とマレイン酸のコポリマー又はその塩等のカルボン酸系ポリマーや、重量平均分子量４千〜１万のポリエチレングリコール等の非イオン性ポリマーが好ましい。分散剤の含有量は組成物中に0.5〜20質量％、特に１〜15質量％が好ましい。
【００３５】
＜（ｋ）成分＞
本発明の洗浄剤組成物は、（ｋ）成分として、香料を含有し得る。香料としては、従来洗剤に配合されている香料、例えば特開昭６３−１０１４９６号公報記載の香料、ジメチルベンジルカルビニルアセテート、トリシクロ[5.2.1.02,6］−デセ-3-エン-8-イルアセテート、トリシクロ[5.2.1.02,6]−デセ-3-エン-8-イソプロピオネート、3-アミル-4-アセトキシテトラヒドロピラン、4-tert-ブチルシクロヘキシルアセテート、2-tert-ブチルシクロヘキシルアセテート、p−tert−ブチル−α−メチルヒドロシンナミックアルデヒド、4-(4-ヒドロキシ-4-メチルペンチル）-3-シクロヘキセン-1-カルボキシアルデヒド、α−ヘキシルシンナミックアルデヒド、α−アミルシンナミックアルデヒド、α，α’−ジメチル-p-エチルヒドロシンナミックアルデヒド等を挙げることができる。もちろんその他の洗剤成分による劣化のないように、配合する各香料成分の種類及び場合により配合比率や配合量を考慮する。
【実施例】
【００３６】
実施例１〜６、比較例１〜４
下記成分を用い、表１に示す組成の洗浄剤組成物を調製した。この洗浄剤組成物について、下記方法で、移染防止効果を評価した。
【００３７】
（１）過炭酸ナトリウム粒子：
非イオン界面活性剤（ソフタノール１２０  日本触媒（株））及び／又は陰イオン界面活性剤（エマール１０Ｐ  花王（株）製）を、２０〜４０質量％程度の水溶液とし、それを過炭酸ナトリウムに霧状にスプレーしたのち、熱乾燥をすることにより過炭酸ナトリウム粒子を得た。表中、「ＰＣ粒子」と表記した。
（２）ベントナイト：Sued-Chemie(Munich(DE))社のLaundrosil DGA（登録商標）
（３）ゼオライト：合成ゼオライト  日本ビルダー（株）製
（４）漂白活性化剤粒子：
ドデカノイルオキシベンゼンスルホン酸ナトリウム（三井化学（株）製）７０質量％、非イオン界面活性剤（花王（株）製：KS108S95）３質量％と、陰イオン界面活性剤（花王（株）製：E-10P）１３質量％、コハク酸（川崎化成工業（株）製）３質量％を混合機（ホソカワミクロン（株）製：ナウターミキサーNX-S型）に仕込み、ジャケット温度80℃、自転回転数121rpm、公転回転数5.5rpmで混合・昇温し、粉体の温度が60℃になった時点で予め70℃で溶融したポリエチレングリコール（花王（株）製：K-PEG6000LA）１１質量％加え、更に25分混合を行った後に混合物を抜き出した。次に、得られた混合物を押出し造粒機（不二パウダル製：ペレッターダブルEXD-60）により孔径700μmのスクリーンを通して押出して圧密化した。得られた押出し物を冷却した後、整粒機（不二パウダル製：フラッシュミルFL200）にて解砕し、分級によって粒径を350〜1410μmに調整して漂白活性化剤造粒物を得た。
（５）その他の成分：硫酸ナトリウム（四国化成（株）製）
【００３８】
（移染防止効果の評価方法）
染料（Ｋａｙａｎｏｌ  Ｍｉｌｌｉｎｇ  Ｓｃａｒｌｅｔ  ＦＧＷ  酸性染料  日本化薬（株）製）を１０ｐｐｍ濃度、洗浄剤組成物を０．５質量％濃度になるように２０℃、１Ｌの交換水に溶解させ、ポリエステル／コットン＝６５／３５ブロード布（（株）谷頭商店製）を５枚入れ、ターゴトメーターにて１００ｒｐｍ、１０分洗浄後、水道水で濯いだ。乾燥後、Ｌａｂ値を測定し、ΔＥを算出した。ΔＥが小さいほど、移染防止効果に優れることを意味する。この試験法では、ΔＥが１１以下であれば、十分な移染防止効果が得られていると言える。
【００３９】
ΔＥは、以下に従って算出した。上記の洗浄前のブロード布のＬ1ａ1ｂ1値（Ｌ；明度、ａ；赤色度、ｂ；黄色度）と、洗浄後のブロード布のＬ2ａ2ｂ2値を測定し、以下の式に従い、ΔＥを算出した。なお、Ｌａｂの測定装置には、日本電色工業（株）製のＳｐｅｃｔｒｏ  Ｃｏｌｏｒ  Ｍｅｔｅｒ  ＳＥ２０００を使用した。
【００４０】
ΔＥ＝√｛（Ｌ1−Ｌ2）2＋（ａ1−ａ2）2＋（ｂ1−ｂ2）2｝
【００４１】
【表１】
2008163077.tif 000003